(57)【要約】【課題】ユーザが美容成分を保持するカートリッジの交換時期を容易に判断できるヘアドライヤーを提供する。【解決手段】ヘアドライヤーは、吸入口から吹出口へ向かう空気流を生成するファンと、空気流に霧化された液滴を付与する霧化装置と、空気流に含まれる液滴を媒体として空気流に放出するための美容成分と美容成分の残量を管理するための蓄電素子とを保持するカートリッジを装着する装着部と、カートリッジの利用に応じて蓄電素子の蓄電容量を消費する消費回路と、蓄電素子の電圧降下を検知してカートリッジの交換時期を呈示する呈示部とを備える。【選択図】図１
2019111154.tif 000002
【特許請求の範囲】
【請求項１】
吸入口から吹出口へ向かう空気流を生成するファンと、
前記空気流に霧化された液滴を付与する霧化装置と、
前記空気流に含まれる前記液滴を媒体として前記空気流に放出するための美容成分と前記美容成分の残量を管理するための蓄電素子とを保持するカートリッジを装着する装着部と、
前記カートリッジの利用に応じて前記蓄電素子の蓄電容量を消費する消費回路と、
前記蓄電素子の電圧降下を検知して前記カートリッジの交換時期を呈示する呈示部と
を備えるヘアドライヤー。
【請求項２】
前記消費回路は、前記カートリッジの利用時に点灯させる発光素子を含む請求項１に記載のヘアドライヤー。
【請求項３】
前記消費回路は、前記カートリッジの利用時に通電する抵抗素子を含む請求項１または２に記載のヘアドライヤー。
【請求項４】
前記ファンによる前記空気流の生成量および前記霧化装置による前記液滴の生成量の少なくともいずれかを制御することにより前記美容成分の放出量を変化させる制御部を備え、
前記消費回路は、前記制御部による制御に基づいて前記蓄電容量の消費量を変化させる請求項１から３のいずれか１項に記載のヘアドライヤー。
【請求項５】
前記空気流を温めるヒータを備え、
前記装着部は、前記蓄電素子が前記ヒータ側とは反対側の外装側に位置するように前記カートリッジを装着する請求項１から４のいずれか１項に記載のヘアドライヤー。
【請求項６】
前記装着部は、前記カートリッジを装着した後に前記カートリッジを覆う蓋部を有し、
前記蓋部は、前記蓄電素子と前記消費回路を結ぶ接続端子を有する請求項５に記載のヘアドライヤー。
【請求項７】
請求項１から６のいずれか１項に記載のカートリッジ。
【発明の詳細な説明】
【技術分野】
【０００１】
本発明は、ヘアドライヤーおよびヘアドライヤーに装着されるカートリッジに関する。
【背景技術】
【０００２】
コラーゲンなどの美容成分を空気流に乗せて毛髪に放散するヘアドライヤーが知られている（例えば、特許文献１参照）。
【先行技術文献】
【特許文献】
【０００３】
【特許文献１】特開２０１５−１９８５４号公報
【発明の概要】
【発明が解決しようとする課題】
【０００４】
コラーゲンなどの美容成分は、交換式のカートリッジ等によりヘアドライヤーに供給されるが、ユーザは、毛髪に現れる効果の減衰からカートリッジに保持された美容成分の消耗を判断することは難しく、また、カートリッジに保持された美容成分を目視することも困難である。すなわち、カートリッジの交換時期を判断することが難しかった。
【０００５】
本発明は、このような問題を解決するためになされたものであり、ユーザが美容成分を保持するカートリッジの交換時期を容易に判断できるヘアドライヤーおよび保持部材としてのカートリッジを提供するものである。
【課題を解決するための手段】
【０００６】
本発明の第１の態様におけるヘアドライヤーは、吸入口から吹出口へ向かう空気流を生成するファンと、空気流に霧化された液滴を付与する霧化装置と、空気流に含まれる液滴を媒体として空気流に放出するための美容成分と美容成分の残量を管理するための蓄電素子とを保持するカートリッジを装着する装着部と、カートリッジの利用に応じて蓄電素子の蓄電容量を消費する消費回路と、蓄電素子の電圧降下を検知してカートリッジの交換時期を呈示する呈示部とを備える。本発明の第２の態様におけるカートリッジは、第１の態様のヘアドライヤーに交換可能に装着される。
【発明の効果】
【０００７】
本発明により、ユーザが美容成分を保持するカートリッジの交換時期を容易に判断できるので、毛髪における美容成分の効果を継続的に享受できる。
【図面の簡単な説明】
【０００８】
【図１】本実施形態に係るヘアドライヤーの全体斜視図である。
【図２】カートリッジを装着する様子を示す部分拡大図である。
【図３】ハウジングの中央断面の様子を模式的に示す図である。
【図４】カートリッジの全体斜視図である。
【図５】ヘアドライヤーのシステム構成図である。
【図６】他の実施例におけるヘアドライヤーの全体斜視図である。
【発明を実施するための形態】
【０００９】
以下、発明の実施の形態を通じて本発明を説明するが、特許請求の範囲に係る発明を以下の実施形態に限定するものではない。また、実施形態で説明する構成の全てが課題を解決するための手段として必須であるとは限らない。
【００１０】
図１は、本実施形態に係るヘアドライヤー１００の全体斜視図である。ヘアドライヤー１００は、主に、温風や冷風を発生させる本体ユニット１１０と、ユーザが把持するグリップユニット１８０を備える。ヘアドライヤー１００は、例えば家庭用ＡＣ電源から供給される電力によって、熱や空気流を発生させる。
【００１１】
本体ユニット１１０は、筐体であるハウジング１１６が外周を取り囲んで円筒形状を成し、一端側の開口である吸入口１１１から外気を取り入れ、他端側の開口である吹出口１１２から調整された空気流を吹き出す。吹出口１１２は、２つに分かれており、相対的に大量の空気流を吹き出す第１吹出口１１３と、第１吹出口よりは吐き出す空気流が少ない第２吹出口１１４とによって構成されている。なお、以降の説明においては、吸入口１１１側を上流側と称し、吹出口１１２側を下流側と称する。
【００１２】
本体ユニット１１０は、グリップユニット１８０と接続する端部を有する。当該端部近傍には、トグル式のモードスイッチ１１５が設けられている。モードスイッチ１１５は、吹き出す空気流に美容成分を放出させる美容モードと放出させない非美容モードとを切り替える切替部として機能する。ユーザは、モードスイッチ１１５を操作して希望するモードに切り替える。
【００１３】
グリップユニット１８０は、一端側が本体ユニット１１０と回動可能に接続されており、ユーザは、グリップユニット１８０を本体ユニット１１０に対して使用時においては直立させ、収容時においては並行にして折り畳む。グリップユニット１８０は、把持部の中央付近にオンオフスイッチ１８１を有する。ユーザは、オンオフスイッチ１８１を３つのポジションのいずれかにスライドさせることができる。それぞれのポジションは、１つがオフポジション、１つが後述するヒータへの通電を遮断して冷風を送出させる冷風ポジション、１つが電熱線に通電して温風を送出させる温風ポジションである。
【００１４】
ユーザがモードスイッチ１１５を操作して美容モードに切り替えると、美容成分が混入した空気流が第２吹出口１１４から吐出される。美容成分は、美容成分保持部材としてのカートリッジ１５０に吸着保持されている。カートリッジ１５０は、本体ユニット１１０に対して交換可能に装着される。すなわち、美容成分を放出し尽くしたカートリッジ１５０は、新たなカートリッジ１５０に取り替えられる。これにより、ヘアドライヤー１００は、美容成分の放散を継続的に維持することができる。
【００１５】
インジケータ１２０は、カートリッジ１５０の交換時期を示すＬＥＤであり、モードスイッチ１１５の近傍に設けられている。なお、本実施例においてはインジケータ１２０としてＬＥＤを採用するが、他の発光素子や表示素子であっても構わない。ユーザは、モードスイッチ１１５を美容モードに切り替えてもインジケータ１２０が点灯しなければ、カートリッジ１５０の交換時期が到来したことを認識できる。
【００１６】
図２は、本体ユニット１１０がカートリッジ１５０を装着する様子を示す部分拡大図である。ハウジング１１６の一部には開口部が設けられており、開口部は、通常の使用時には収容蓋１１７で覆われている。収容蓋１１７は、一端側に設けられたヒンジによりハウジング１１６に枢設されており、ユーザは、カートリッジ１５０の交換時に収容蓋１１７の他端側を持ち上げて開口部を開く。
【００１７】
開口部の奥には装着部１１８が設けられており、ユーザはカートリッジ１５０を装着部１１８へ装着することができる。カートリッジ１５０を装着して収容蓋１１７を閉じれば、ユーザは、ヘアドライヤー１００の美容モードを機能させることができる。カートリッジ１５０は、装着部１１８に装着した場合に収容蓋１１７と対向する上面に、カートリッジ端子１５０ａを有する。収容蓋１１７は、閉じた場合に収容されたカートリッジ１５０のカートリッジ端子１５０ａと接触する収容蓋端子１１７ａを有する。収容蓋端子１１７ａは、例えばスプリングピンコネクタである。なお、カートリッジ１５０が装着されていない状態ではモードスイッチ１１５を美容モードに切り替えられないように、モードスイッチ１１５にロック機構を設けても良い。
【００１８】
図３は、図１の座標系で示すｘｚ平面と平行な断面で切断した、ハウジング１１６の中央断面の様子を模式的に示す図である。図は、主要な構成要素に限って表している。具体的には、ハウジング１１６内に配設されたヒータ１２１、モータ１２２、ファン１２３、霧化装置１３０と、装着部１１８に装着されたカートリッジ１５０を表している。
【００１９】
ファン１２３は、モータ１２２によって回転され、吸入口１１１から外気を取り込んで、吹出口１１２へ向けて空気流を発生させる。モータ１２２は、例えば直流モータであり、ファン１２３と共に送風装置として機能する。ヒータ１２１は、通電されることにより熱を発生し、ファン１２３で発生された空気流を加熱して温風に変換する。ヒータ１２１は、例えば電熱線であり、絶縁板に巻回されるなどしてハウジング１１６の中空部に位置するように固定されている。
【００２０】
ハウジング１１６の内部空間は、吸入口１１１から取り込まれた外気がファン１２３よりも下流側で二手に分流するように、内壁１１９によって２つに分割されている。すなわち、ファン１２３によって生成される空気流は、この内壁１１９によって、第１吹出口１１３へ向かう空気流Ｂ０と、第２吹出口１１４へ向かう空気流Ｂ１とに分かれる。ヒータ１２１は、空気流Ｂ０を温めるように、空気流Ｂ０の流路中に配設されている。したがって、ユーザがオンオフスイッチ１８１を温風ポジションに設定していれば、通電されたヒータ１２１が空気流Ｂ０を主に温める。
【００２１】
霧化装置１３０は、空気流Ｂ１の流路中に配設されている。霧化装置１３０は、周辺空気に含まれる水分を結露させ、結露した水分をミスト化（霧化）して空気流Ｂ１に付与する装置である。ファン１２３が回っている間に水分を結露させる場合には、空気流Ｂ１に含まれる水分を結露させる。すなわち、霧化装置１３０は、空気中の水分を凝縮してミスト（霧化された液滴）を生成する装置であり、本実施形態においては、直径が十〜数百ナノメートルの液滴を生成する。
【００２２】
霧化装置１３０は、主に、ペルチェ素子１３１、冷却板１３２、放熱フィン１３３および放電電極１３４を含む。ペルチェ素子１３１の吸熱面側には導電性の冷却板１３２が貼り合わされており、冷却板１３２は、ペルチェ素子１３１によって冷却される。冷却板１３２のうち空気流と触れる側の面である結露面は、空気中に含まれる水分を結露させ、液滴が付着する。すなわち、冷却板１３２は、ペルチェ素子１３１と協働して結露部として機能する。
【００２３】
ペルチェ素子１３１の発熱面側には放熱のための放熱フィン１３３が貼り合わされている。放熱フィン１３３から放出された熱は、空気流Ｂ１の一部に乗って第２吹出口１１４から外部に吐き出される。
【００２４】
放電電極１３４は、後述する電極回路に接続されており、冷却板１３２を接地電極として放電が発生するように、冷却板１３２から所定量離間して配置されている。放電電極１３４に高圧の負パルスが印加されると、放電電極１３４の先端部と冷却板１３２の間で放電が起こり、冷却板１３２の結露面に結露していた結露水が、レイリー分裂により、マイナスイオンに帯電したミストとなって飛散する。すなわち、霧化装置１３０は、マイナスイオンに帯電したミスト（静電霧化した液滴）を、空気流Ｂ１に付与する。
【００２５】
なお、霧化装置１３０のうち、結露部は直接的に空気流Ｂ１の流路中に配設されていなくても良い。結露面で結露した結露水が放電によりミスト化した場合に、当該ミストが空気流Ｂ１に誘引されるのであれば、空気流Ｂ１に直接晒されない箇所に配設することも可能である。結露面が直接的に空気流Ｂ１に晒されないのであれば、比較的大きな結露水を生成することも可能であり、放電によって生成するミストの大きさをコントロールしやすい。
【００２６】
カートリッジ１５０は、霧化装置１３０よりも下流側に設けられた装着部１１８に装着されている。マイナスイオンに帯電したミストがカートリッジ１５０の内部を通過すると、カートリッジ１５０に吸着保持された美容成分がミストに溶出し、第２吹出口１１４から吐出される空気流Ｂ１は、当該美容成分を適度に含んだ状態でユーザの毛髪へ到達する。
【００２７】
なお、図示するように、霧化装置１３０とヒータ１２１の間には内壁１１９が介在し、互いに隔離されているので、ヒータ１２１が発生する熱は、霧化装置１３０の結露部に到達しにくい。したがって、結露部は、より多くの水分を結露させることができる。また、内壁１１９は、ヒータ１２１の熱をより遮断するように、断熱性の高い素材で形成されると良い。あるいは、内壁１１９の表面に熱移動を遮断する断熱シートを貼着すると良い。
【００２８】
図４は、カートリッジ１５０の全体斜視図である。カートリッジ１５０は、上述のように、美容成分を吸着保持する美容成分保持部材である。吸着保持する美容成分は、霧化装置１３０で発生したミストを媒体として空気流Ｂ１に放出される。美容成分は、例えば保湿性を有するものとして、タンパク質、ムコ多糖、コラーゲン、エラスチン、ケラチン、ビタミン類等が挙げられる。なお、美容成分としては、上記した以外のものも任意に選択して用いることができるが、毛髪等における保湿性等を向上させてキューティクルの痛みを回復させる等の観点から、美容成分としてはコラーゲンを含むことが好ましい。
【００２９】
また、例えばコラーゲンなどに担持させるなどの態様により、金属微粒子を美容成分として採用することもできる。美容成分となり得る金属としては、金、銀、銅、白金、亜鉛、チタンが候補として挙げられる。このような金属微粒子は、毛髪に付着して抗菌作用や抗酸化作用を生じさせることができる。特に白金の微粒子は、抗酸化作用が極めて高いことが知られており、美容成分として採用すると良い。
【００３０】
カートリッジ１５０は、本体部１５１と電池部１５３によって構成されている。本体部１５１は、美容成分を吸着保持し、空気流Ｂ１に美容成分を放出する機能を担う。本体部１５１は、複数設けられた貫通孔１５２を有する。本体部１５１は、多孔質素材が用いられることが好ましく、例えばセラミック焼結体である。多孔質素材の空隙は、美容成分を吸着保持させる空間として利用できるので、本体部１５１は、多孔質素材でない場合に比べて多量の美容成分を保持することができる。
【００３１】
複数の貫通孔１５２は、カートリッジ１５０が装着部１１８に装着された場合に、空気流Ｂ１に沿うように設けられている。換言すると、装着部１１８は、貫通孔１５２が空気流Ｂ１に沿う向きにカートリッジ１５０が装着されるよう、収容形状が規定されている。したがって、空気流Ｂ１の少なくとも一部は、貫通孔１５２の内部を通過する。
【００３２】
霧化装置１３０で生成されたミストを含む空気流Ｂ１が貫通孔１５２を通過したときに、当該ミストが貫通孔１５２の内面と接触して美容成分を溶かし込むように、当該美容成分は、貫通孔の内面に一定の厚みをもって吸着されている。貫通孔１５２の内面に吸着保持された美容成分が、ヘアドライヤー１００の使用により消費され、多孔質素材の空隙から滲出する美容成分も消尽されると、カートリッジ１５０は交換時期を迎える。
【００３３】
電池部１５３は、本体部１５１に吸着保持された美容成分の残量を管理するための電池１５４を収容する収容部としての機能を担う。電池１５４は、蓄電素子の一例であり、例えばボタン電池である。蓄電素子は、一定容量の電力を蓄えられるものであれば、キャパシタ等の他の素子であっても構わない。電池部１５３に収容される電池１５４は、初期状態において予め定められた範囲の電池容量を有するものが選別されている。電池１５４の両極はそれぞれ別々のカートリッジ端子１５０ａと電気的に接続されている。美容成分の残量管理については後述する。
【００３４】
カートリッジ１５０が装着部１１８に装着されると、電池部１５３は、本体部１５１に対してヒータ１２１とは反対側のハウジング１１６側に位置することになる。したがって、電池１５４は、ヒータ１２１からの熱の影響を受けにくく、安定的な出力を維持できる。また、カートリッジ端子１５０ａを収容蓋１１７と対向する上面に設け、収容端子蓋１１７ａを収容蓋１１７に設けたので、これらの端子もヒータ１２１からの熱の影響を受けにくい。
【００３５】
図５は、ヘアドライヤー１００のシステム構成図である。ヘアドライヤー１００は、例えばマイクロプロセッサである制御部１９０によって電気系統の全体が制御される。オンオフスイッチ１８１のスイッチ状態、およびモードスイッチ１１５のスイッチ状態は、電気的に検出されて制御部１９０へ伝達される。制御部１９０は、これらのスイッチ状態に応じて各回路を制御する。制御対象は、主に、ヒータ回路１９１、モータ回路１９２、ペルチェ回路１９３、電極回路１９４、消費回路１９５および呈示回路１９６である。
【００３６】
ヒータ回路１９１は、ヒータ１２１に通電して一定の発熱状態を保つ回路である。制御部１９０は、オンオフスイッチ１８１が温風ポジションであるときに、ヒータ回路１９１が機能するように制御する。モータ回路１９２は、モータ１２２に通電してファン１２３を一定の回転速度で回転させる回路である。制御部１９０は、オンオフスイッチ１８１が冷風ポジションまたは温風ポジションであるときに、モータ回路１９２が機能するように制御する。
【００３７】
ペルチェ回路１９３は、ペルチェ素子１３１を駆動して吸熱面から発熱面へ熱移動させる回路である。制御部１９０は、モードスイッチ１１５が美容モードに設定されているときに、ペルチェ回路１９３が機能するように制御する。電極回路１９４は、放電電極１３４に高圧の負パルスを印加して、放電電極１３４と冷却板１３２の間で周期的に放電を発生させる回路である。制御部１９０は、モードスイッチ１１５が美容モードに設定されているときに、電極回路１９４が機能するように制御する。
【００３８】
消費回路１９５は、カートリッジ１５０の利用に応じて電池１５４の電池容量を消費する回路である。消費回路１９５は、収容蓋端子１１７ａを介して電池１５４と接続されている。消費回路１９５は、例えば抵抗を含み、モードスイッチ１１５がオンにされると電池電極を当該抵抗に接続し、オフにされると切り離す回路を含む。このような消費回路１９５により、カートリッジ１５０の利用に連動して電池１５４の電池容量が消費される。
【００３９】
上述のように、電池１５４は、カートリッジ１５０の使用開始時である初期状態において予め定められた範囲の電池容量を有する。したがって、カートリッジ１５０が吸着保持する美容成分が消尽されたと判断すべきタイミングと、電池容量が一定量未満となるタイミングが一致すれば、美容成分の残量を直接的に検知できなくても、カートリッジ１５０の交換時期を把握できる。本実施形態においては、電池１５４の初期状態における電池容量と、美容モードの利用に連動する電力消費量を調整することにより、これらのタイミングをおよそ一致させる。これらの電池容量と電力消費量は、実験やシミュレーションによって事前に定められる。
【００４０】
呈示回路１９６は、電池１５４の電圧降下を検知してカートリッジ１５０の交換時期を呈示する回路である。すなわち、本実施形態においては、電池１５４の電池容量が一定量未満となるタイミングを、より簡易に電池１５４の電圧降下によって検知する。呈示回路１９６は、モードスイッチ１１５がオンの状態で機能し、インジケータ１２０であるＬＥＤを含む。また、呈示回路１９６は、電池１５４の出力電圧が設定電圧未満になったかを検知する検知回路と、検知回路が設定電圧未満を検知したときにインジケータ１２０を点灯させる電力の供給を遮断する遮断回路とを含む。
【００４１】
すなわち、インジケータ１２０は、美容モードの実行中において、電池１５４の出力電圧が設定電圧以上であれば点灯し、設定電圧未満であれば消灯する。したがって、ユーザは、モードスイッチ１１５を美容モードに切り替えてもインジケータ１２０が点灯しなかったり、美容モードの利用中にインジケータ１２０が消灯したりすれば、カートリッジ１５０の交換時期であると認識できる。
【００４２】
なお、インジケータ１２０であるＬＥＤを、消費回路１９５における電池容量を消費させる素子として利用しても良い。この場合、呈示回路１９６の電力供給回路の電源は、家庭用ＡＣ電源ではなく電池１５４となり、呈示回路１９６の一部が消費回路１９５として機能することになる。
【００４３】
このように、新規に装着されるカートリッジ１５０に初期電池容量が一定の電池１５４を組み込み、美容モードの利用に連動してその電池容量を消費すれば、電池１５４の出力電圧を監視することによりカートリッジ１５０の寿命を把握できる。したがって、ユーザは、カートリッジ１５０の交換時期を、空気流に混入する美容成分の減少を毛髪に現れる効果から感覚的に判断する場合に比較して、より確実に判断することができる。
【００４４】
なお、ヘアドライヤー１００が美容成分の放出量を調整する機能を備える場合には、消費回路１９５は、その放出量に応じて電池容量の消費量を調整しても良い。制御部１９０は、ファン１２３によって生成する空気流の強弱、および、霧化装置１３０によって生成する液適量の少なくともいずれかを調整すれば、美容成分の放出量を調整することができる。したがって、消費回路１９５は、制御部１９０の調整に応じて電池容量の消費量を変化させれば、電池１５４の残容量と本体部１５１が吸着保持する美容成分量とをより高い相関性を以て対応付けることができる。すなわち、呈示回路１９６による交換時期の呈示が、美容成分の消尽をより正確に反映したものになる。
【００４５】
次に、本実施形態の変形例について説明する。図６は、変形例におけるヘアドライヤー１０１の全体斜視図であり、呈示部として機能するモードパネル２００を部分的に拡大して示している。ヘアドライヤー１０１は、インジケータ１２０の代わりにモードパネル２００を備える点でヘアドライヤー１００と相違する。他の要素はヘアドライヤー１００と同様なので、対応する要素に同符番を付してその説明を省略する。
【００４６】
モードパネル２００は、ハウジング１１６の側面に設けられた表示パネルであり、例えば液晶パネルが用いられる。モードパネル２００は、呈示回路１９６の一部として含まれ、ユーザにカートリッジ１５０の交換時期を呈示する。具体的には、モードパネル２００は、４つのセグメントから成るインジケータ２１０を表示する。４つのインジケータ２１０の全てが網掛け状態であれば美容成分の残量は十分であることを示し、その後美容成分が消費されるにつれてインジケータ２１０はひとつずつ白枠状態に変化する。そして全てのインジケータ２１０が白枠状態になると、インジケータ２１０を点滅させて、カートリッジ１５０の交換時期であることを示す。このようなモードパネル２００を採用する場合には、呈示回路１９６の検知回路は、電池１５４の出力電圧を３段階の設定電圧に対して比較する。
【００４７】
また、モードパネル２００は、美容モードの実行中であれば、インジケータ２１０と共にモードサイン２１１を表示してその旨をユーザに示す。非美容モードであれば、インジケータ２１０およびモードサイン２１１を表示しない。
【００４８】
このような変形例に係る表示態様であれば、ユーザは、美容成分の消費量を段階的に認識できるので、カートリッジ１５０を事前に準備するなどの対応がしやすい。また、モードパネル２００は、他の情報を表示する表示部としても利用できる。例えば、温風のオンオフや、ファンの強弱を表示することもできる。
【００４９】
以上のような構成により本実施形態に係るヘアドライヤー１００、１０１は、使用するユーザの毛髪や頭皮に美容成分を供給することができる。したがって、毛髪の表面におけるキューティクルの剥離等のような髪のダメージをより効果的に修復し、さらには毛髪の保湿もより効果的に行うことができる。特に、ヘアドライヤー１００は、ユーザが使用するたびにミストと美容成分を毛髪に供給することができるので、使用し続けることでキューティクルをより引き締めることができ、ブラッシングや温風による加熱等によるダメージを抑え、毛髪をより保湿性の高い状態に維持することができる。
【００５０】
また、頭皮における皮脂の発生を抑制して毛穴を清潔な状態に保つことができる。さらにヘアカラーを行った場合の退色も抑制でき、染めた毛髪色を長期間に亘って維持することも期待できる。また、ヘアドライヤー１００は、マイナスイオンも毛髪や頭皮に供給することができるので、毛髪のキューティクルをより引き締めることができ、より高い保湿性を維持することができる。しかも、適切な時期にカートリッジ１５０を交換できるので、毛髪に対する効果を継続的に享受でき、また、美容成分が残っている状態でカートリッジ１５０を破棄してしまうようなこともない。
【００５１】
以上説明した本実施形態に係るヘアドライヤー１００、１０１は、放電電極１３４に負のパルスを印加してマイナスイオンを発生させたが、正のパルスを印加してプラスイオンを発生させても良い。正のパルスを印加して放電を発生させると、プラスイオンに帯電したミストが発生する。この場合は、プラスイオンがユーザの毛髪に到達し、プラスイオンによる抗菌効果などが期待できる。また、放電電極１３４に印加するパルスの極性を変化させることにより、マイナスイオンとプラスイオンをシーケンシャルに発生させても良い。また、放電電極１３４を複数設けて、プラスイオンとマイナスイオンを同時に発生させるようにしても良い。
【符号の説明】
【００５２】
１００、１０１  ヘアドライヤー、１１０  本体ユニット、１１１  吸入口、１１２  吹出口、１１３  第１吹出口、１１４  第２吹出口、１１５  モードスイッチ、１１６  ハウジング、１１７  収容蓋、１１７ａ  収容蓋端子、１１８  装着部、１１９  内壁、１２０  インジケータ、１２１  ヒータ、１２２  モータ、１２３  ファン、１３０  霧化装置、１３１  ペルチェ素子、１３２  冷却板、１３３  放熱フィン、１３４  放電電極、１５０  カートリッジ、１５０ａ  カートリッジ端子、１５１  本体部、１５２  貫通孔、１５３  電池部、１５４  電池、１８０  グリップユニット、１８１  オンオフスイッチ、１９０  制御部、１９１  ヒータ回路、１９２  モータ回路、１９３  ペルチェ回路、１９４  電極回路、１９５  消費回路、１９６  呈示回路、２００  モードパネル、２１０  インジケータ、２１１  モードサイン
【図１】
2019111154.tif 000003
【図２】
2019111154.tif 000004
【図３】
2019111154.tif 000005
【図４】
2019111154.tif 000006
【図５】
2019111154.tif 000007
【図６】
2019111154.tif 000008